(57)【特許請求の範囲】
【請求項１】
流体の圧力に応じた角度で回動する回動軸を有する圧力測定器が組み込まれるケースと、
前記回動軸に取り付けられ、前記ケースの表面に設けられる支持壁に沿って回動する指針と、
前記ケースの表面と前記指針との間に固定され、前記指針により指示される圧力目盛が付された円形状の目盛板と、
前記目盛板と前記ケースの表面との間に前記回動軸の回動中心を中心に回動自在に装着され、前記目盛板の外周面よりも径方向外方に突出して円周方向に延びる使用圧力表示領域が設けられるとともに使用圧力の最大値表示部と最小値表示部の一方が円周方向の一端部に設けられる使用圧力表示部材と、
前記目盛板と前記使用圧力表示部材との間に前記回動軸の回動中心を中心に回動自在に装着され、前記使用圧力表示領域を遮蔽する遮蔽領域が円周方向に延びて設けられるとともに前記最大値表示部と前記最小値表示部の他方が円周方向の一端部に設けられる遮蔽部材とを有し、
前記使用圧力表示部材と前記遮蔽部材とを相対回動させることにより、前記使用圧力表示領域のうち前記最大値表示部と前記最小値表示部との間の使用圧力範囲が設定され、当該使用圧力範囲の設定時には前記使用圧力表示部材と前記遮蔽部材とが前記支持壁により支持されることを特徴とする圧力計。
【請求項２】
請求項１記載の圧力計において、前記使用圧力表示領域に前記遮蔽領域とは相違した色彩を施すことを特徴とする圧力計。
【請求項３】
請求項１または２記載の圧力計において、前記使用圧力表示領域と前記遮蔽領域の一端部にそれぞれの回動操作用のノブを設けることを特徴とする圧力計。
【請求項４】
請求項１〜３のいずれか１項に記載の圧力計において、前記ケースに前記ケースの表面を覆う透明性を有するカバーを着脱自在に装着し、前記ケースの表面側を覆う前記カバーを介して前記指針、前記目盛板、前記使用圧力範囲を外部から視認し得ることを特徴とする圧力計。
【請求項５】
請求項１〜４のいずれか１項に記載の圧力計において、前記使用圧力表示部材の一端部に前記最小値表示部を設け、前記遮蔽部材の一端部に前記最大値表示部を設けることを特徴とする圧力計。
【請求項６】
請求項１〜５のいずれか１項に記載の圧力計において、前記使用圧力表示部材と前記遮蔽部材との少なくともいずれか一方を前記回動軸に回動自在に装着することを特徴とする圧力計。
【請求項７】
請求項１〜５のいずれか１項に記載の圧力計において、前記使用圧力表示部材と前記遮蔽部材との少なくともいずれか一方を前記目盛板の背面に回動自在に装着することを特徴とする圧力計。
【請求項８】
請求項６記載の圧力計において、前記使用圧力表示部材と前記遮蔽部材との少なくともいずれか一方に、前記回動軸に回動自在に装着されるボス部を設け、当該ボス部に切り欠き部を設けて前記回動軸に対して径方向から着脱自在とすることを特徴とする圧力計。
【発明の詳細な説明】
【技術分野】
【０００１】
本発明は流体圧機器に供給された流体の圧力を測定するとともに、流体圧機器に供給される流体の使用圧力範囲の表示を任意の範囲に設定し得る圧力計に関する。
【背景技術】
【０００２】
空気圧源から空気圧シリンダ等のアクチュエータに圧縮空気を供給する空気圧回路は、流路を切り換える切換弁、圧力を調整する圧力制御弁、圧縮空気中のゴミや水分等を除去するフィルタ、およびこれらを連結する配管等の流体圧機器を有している。同様に油圧源から油圧アクチュエータに油圧を供給する油圧回路にも圧力制御弁等の流体圧機器を有している。このように空気圧や油圧により作動するアクチュエータを駆動するための流体圧回路を構成する流体圧機器には流体の圧力を測定するために圧力計が使用されている。
【０００３】
圧力計には指針により測定圧力をアナログ表示するようにしたタイプがあり、このタイプにはブルドン管を用いたブルドン管式圧力計が多用されている。指針が設けられたアナログ式の圧力計は、種々の流体圧回路に対して使用することができるように、指針により指示される目盛板の圧力目盛としては、圧力計として測定可能範囲の目盛が付されている。例えば、空気圧回路に使用される圧力計の場合には、最小値の０MPaから最大値の数ＭPaまでの測定可能範囲の目盛が付されている。しかしながら、実際の空気圧回路に使用される空気の圧力は、圧力計が測定可能とする圧力範囲よりも狭い範囲で使用される場合が多い。例えば、圧力計としては最大１．０ＭPaまで測定可能であっても、その圧力計が使用される空気圧回路においては０．４から０．６ＭPaの使用圧力範囲の流体圧が使用されることがある。その場合には、空気圧回路を構成する各空気圧機器に使用圧力範囲となった空気圧が供給されているか否かを作業者が圧力計を見て確認することになる。
【０００４】
流体圧機器に供給される使用圧力範囲を表示するようにした圧力計が特許文献１，２に記載されている。
【特許文献１】特許第３７１７６２１号公報
【特許文献２】特公平６−５２２１５号公報
【発明の開示】
【発明が解決しようとする課題】
【０００５】
特許文献１に記載された圧力計は、測定可能範囲の目盛が付された透明の円板と、これを保持する非透明の保持部材とにより形成されて指針を覆う前面カバーを有している。保持部材と円板との間の隙間には使用圧力範囲の上限値と下限値とに対応させて２つの表示針が移動自在に設けられており、それぞれの表示針は目盛の背面側に配置され前面カバーの背面側に突出している。
【０００６】
このように、測定可能範囲の目盛が付された透明の円板の背面側に表示針を配置すると、表示針が目盛と重なった状態となる。このために、指針が使用圧力の範囲に位置しているか否かを確認するには、上限値と下限値とを表示する表示針を目盛を介して目視する必要があり、一見しただけでは使用圧力範囲の識別が困難であるという問題点がある。また、使用圧力範囲を変更するには、前面カバーを取り外して前面カバーの背面側で表示針の位置を調整する必要があるので、調整した位置が適正な位置となっているかを確認するには、前面カバーを反転させて表面側から表示針の位置と目盛との位置関係を確認する必要があり、使用圧力範囲の変更が面倒である。
【０００７】
一方、特許文献２に記載された圧力計は、測定可能範囲の目盛が付された目盛板と、これの外周部に沿って回動自在に装着された一対の被覆板を有している。目盛板の外周部には表示帯が形成されており、この表示帯を部分的に覆う一対の被覆板を相対回動させることで、表示帯の被覆板に覆われていない部分により使用圧力範囲が表示されるようになっている。
【０００８】
このように、被覆板は目盛板の前方側に配置され、目盛板により被覆板が支持されているため、被覆板の回動操作時に目盛板に負荷がかかり、目盛板が変形や破損するおそれがある。したがって、目盛板を金属材料により形成して目盛板の強度を高めたり、目盛板を必要以上に強固に固定したりする必要があり、目盛板の固定作業の煩雑化やコストアップとなる。
【０００９】
本発明の目的は、圧力計の測定可能範囲のうち使用圧力範囲を容易に変更可能であり使用圧力範囲の視認性を向上することにある。
【００１０】
本発明の他の目的は、使用圧力範囲の設定時に加わる荷重による変形や破損を防止することにある。
【課題を解決するための手段】
【００１１】
本発明の圧力計は、流体の圧力に応じた角度で回動する回動軸を有する圧力測定器が組み込まれるケースと、前記回動軸に取り付けられ、前記ケースの表面に設けられる支持壁に沿って回動する指針と、前記ケースの表面と前記指針との間に固定され、前記指針により指示される圧力目盛が付された円形状の目盛板と、前記目盛板と前記ケースの表面との間に前記回動軸の回動中心を中心に回動自在に装着され、前記目盛板の外周面よりも径方向外方に突出して円周方向に延びる使用圧力表示領域が設けられるとともに使用圧力の最大値表示部と最小値表示部の一方が円周方向の一端部に設けられる使用圧力表示部材と、前記目盛板と前記使用圧力表示部材との間に前記回動軸の回動中心を中心に回動自在に装着され、前記使用圧力表示領域を遮蔽する遮蔽領域が円周方向に延びて設けられるとともに前記最大値表示部と前記最小値表示部の他方が円周方向の一端部に設けられる遮蔽部材とを有し、前記使用圧力表示部材と前記遮蔽部材とを相対回動させることにより、前記使用圧力表示領域のうち前記最大値表示部と前記最小値表示部との間の使用圧力範囲が設定され、当該使用圧力範囲の設定時には前記使用圧力表示部材と前記遮蔽部材とが前記支持壁により支持されることを特徴とする。
【００１２】
本発明の圧力計は、前記使用圧力表示領域に前記遮蔽領域とは相違した色彩を施すことを特徴とする。本発明の圧力計は、前記使用圧力表示領域と前記遮蔽領域の一端部にそれぞれの回動操作用のノブを設けることを特徴とする。本発明の圧力計は、前記ケースに前記ケースの表面を覆う透明性を有するカバーを着脱自在に装着し、前記ケースの表面側を覆う前記カバーを介して前記指針、前記目盛板、前記使用圧力範囲を外部から視認し得ることを特徴とする。
【００１３】
本発明の圧力計は、前記使用圧力表示部材の一端部に前記最小値表示部を設け、前記遮蔽部材の一端部に前記最大値表示部を設けることを特徴とする。本発明の圧力計は、前記使用圧力表示部材と前記遮蔽部材との少なくともいずれか一方を前記回動軸に回動自在に装着することを特徴とする。本発明の圧力計は、前記使用圧力表示部材と前記遮蔽部材との少なくともいずれか一方を前記目盛板の背面に回動自在に装着することを特徴とする。
【００１４】
本発明の圧力計は、前記使用圧力表示部材と前記遮蔽部材との少なくともいずれか一方に、前記回動軸に回動自在に装着されるボス部を設け、当該ボス部に切り欠き部を設けて前記回動軸に対して径方向から着脱自在とすることを特徴とする。
【発明の効果】
【００１５】
本発明によれば、円形状の目盛板の径方向外方に突出する使用圧力表示領域を有する使用圧力表示部材と、使用圧力表示領域を遮蔽する遮蔽領域を有する遮蔽部材とを有しており、使用圧力範囲を使用圧力表示部材と遮蔽部材とを相対回動させることにより、指針の延長上に使用圧力範囲が表示されるので、使用圧力範囲の視認性が向上し、一見して指針が使用圧力範囲となっているか否かを作業者は確認することができる。
【００１６】
使用圧力範囲を設定する際には目盛板に付された圧力目盛を目視しながら使用圧力表示部材と遮蔽部材とを回動させることができ、使用圧力範囲の設定を容易に行うことができる。
【００１７】
使用圧力範囲の設定時に使用圧力表示部材および遮蔽部材に付与される軸方向の荷重をケースの表面に設けられた支持壁により支持するようにしたので、被覆板を目盛板により支持するようにした圧力計のように目盛板の強度を向上させる必要がなく、簡易な構成により使用圧力表示部材および遮蔽部材の変形や破損を防止することができる。
【発明を実施するための最良の形態】
【００１８】
以下、本発明の実施の形態を図面に基づいて詳細に説明する。図１は本発明の一実施の形態である圧力計を示す斜視図であり、図２は本発明の圧力計を示す分解斜視図であり、図３(Ａ)は図１における正面図であり、図３(Ｂ)は(Ａ)の状態から使用圧力範囲を変更した状態の正面図であり、図４は図３(Ｂ)における矢印４−４線方向の拡大断面図である。
【００１９】
この圧力計は圧力測定器１１が組み込まれるケース１２を有し、ケース１２はほぼ正方形となった支持壁１３とこれと一体となった側壁１４とを備えている。圧力測定器１１は流体の圧力により弾性変形するブルドン管を用いたブルドン管式であり、図４に示すように圧力導入管１５により案内される流体の圧力に応じた角度で回動する回動軸１６を有し、回動軸１６はケース１２の支持壁１３の中心部からケース表面側に突出している。ケース１２の支持壁１３の角部には、回動軸１６に対して対角線上に２つの取付孔が形成されており、それぞれの取付孔に取り付けられるねじ１７により圧力計は流体圧回路を構成する配管やフィルタなどの流体圧機器に取り付けられるようになっている。フィルタなどの流体圧機器に予め四角形の凹部を形成しておけば、この圧力計をフィルタなどに埋め込んで取り付けることができる。
【００２０】
支持壁１３には支持駒１８が固定されており、回動軸１６は支持駒１８を貫通している。回動軸１６の先端には指針１９が一体に設けられたハブ２０が取り付けられるようになっている。ケース表面となっている支持壁１３の表面と指針１９との間に位置させて支持駒１８には非透明性の材料により形成された半径Ｒの円板形状の目盛板２１が取り付けられている。目盛板２１の中心部には支持駒１８に嵌合する取付孔２２が形成されており、目盛板２１は取付孔２２が支持駒１８に嵌合して固定される。目盛板２１の表面外周部には指針１９により指示される圧力目盛が付されている。圧力目盛は図２に示すように目盛板２１の角度θの範囲に付されており、角度θは２３０度〜２７０度程度の範囲となっており、この範囲が圧力計の測定可能範囲となっている。この圧力計の測定可能範囲は、圧力目盛により示されるように、０ＭPaから１．０ＭPaとなっており、指針１９が０ＭPaの位置から図において時計方向に回動するのに従って高い圧力値を示すことになる。なお、目盛板２１に付される圧力目盛の最大値は圧力計の特性により任意に設定される。
【００２１】
目盛板２１とケース表面との間に位置させて使用圧力表示部材２３が支持駒１８に回動自在に装着されている。使用圧力表示部材２３は非透明性の部材により形成されており、回動中心部には支持駒１８に対して摺動自在に嵌合されるガイド孔２４ａが形成された環状のボス部２４が設けられている。これにより、使用圧力表示部材２３は支持駒１８を介して回動軸１６に対して回動軸１６の回動中心を中心として回動自在に装着されている。使用圧力表示部材２３は左右に円周方向端面を有する扇形となっており、左右両端面の間の扇形の角度はα１となっている。使用圧力表示部材２３の半径Ｒ１は目盛板２１の半径Ｒよりも大きく設定されており、使用圧力表示部材２３の外周部は目盛板２１の外周面よりも径方向外方に突出して円周方向に延びる帯状の使用圧力表示領域２５となっている。
【００２２】
使用圧力表示部材２３の一端部つまり左側円周方向端部には、使用圧力表示部材２３を回動させる際に作業者により操作されるノブ２６が前方に向けて突出して設けられており、ノブ２６は使用圧力表示領域２５の左端面に対応して設けられており、その先端は目盛板２１の表面よりも前方に突出している。ノブ２６は径方向に延びており、ノブ２６の内側エッジは最小値表示部２７となっている。
【００２３】
目盛板２１と使用圧力表示部材２３との間に位置させて遮蔽部材３１が支持駒１８に回動自在に装着されている。遮蔽部材３１は非透明性の部材により形成されており、回動中心部には支持駒１８に対して摺動自在に嵌合されるガイド孔３２ａが形成された環状のボス部３２が設けられている。これにより、遮蔽部材３１は支持駒１８を介して回動軸１６に対して回動軸１６の回動中心を中心として回動自在に装着されている。遮蔽部材３１は左右に円周方向端面を有する扇形となっており、左右両端面の間の扇形の角度はα２となっている。遮蔽部材３１の半径Ｒ２は使用圧力表示部材２３の半径Ｒ１とほぼ同一径に設定されており、遮蔽部材３１の外周部は目盛板２１の外周面よりも径方向外方に突出して円周方向に延び使用圧力表示領域２５を遮蔽する遮蔽領域３３となっている。なお、遮蔽部材３１の半径Ｒ２としては、使用圧力表示部材２３の半径Ｒ１よりも僅かに大きくしても良い。
【００２４】
遮蔽部材３１の一端部つまり左側円周方向端部には、遮蔽部材３１を回動させる際に作業者により操作されるノブ３４が前方に向けて突出して設けられており、ノブ３４は遮蔽領域３３の左端部に対応して設けられており、その先端は目盛板２１の表面よりも前方に突出している。ノブ３４は径方向に延びており、ノブ２６の外側エッジは最大値表示部３５となっている。
【００２５】
使用圧力表示部材２３と遮蔽部材３１を相対回転させると、図３に示すように、使用圧力表示領域２５のうち最小値表示部２７と最大値表示部３５との間によって帯状に設定される使用圧力範囲３６の角度βが設定される。使用圧力表示部材２３の表面は、ケース１２、目盛板２１および遮蔽部材３１の表面とは相違した色彩が施されている。例えば、使用圧力表示部材２３の表面は赤または青などの色彩に塗色され、他の部分は白色に塗色されている。これにより、図３に示すように、使用圧力範囲３６が目盛板２１の外周面から径方向に迫り出して、指針１９の先端の延長上に配置されるとともに使用圧力範囲３６の外側の部分の色彩と相違していることから、外部から確実に使用圧力範囲３６を目視することができる。
【００２６】
しかも、目盛板２１の全周が円形となって外部から観察され、目盛板２１の背面側に配置された使用圧力表示部材２３と遮蔽部材３１とによって、円形の目盛板２１の径方向外方に帯状の使用圧力範囲３６が迫り出して外部から観察されるので、使用圧力範囲３６を外部から容易に確認することができる。
【００２７】
使用圧力表示部材２３と遮蔽部材３１に設けられたノブ２６，３４は最小値表示部２７と最大値表示部３５の機能を有しており、両方のノブ２６，３４の間により帯状の使用圧力範囲３６が外部から確実に視認されることになる。
【００２８】
使用圧力表示部材２３と遮蔽部材３１は、支持駒１８を介して回動軸１６に回動自在に装着されているので、ケース１２を流体圧機器に埋め込むようにすることができ、その場合にはカバー３７をケース１２に取り付けることなく、流体圧機器に取り付けるようにしても良い。
【００２９】
使用圧力表示部材２３と遮蔽部材３１の角度α１，α２は、図示する場合にはそれぞれ１２０度から１３０度程度に設定されているが、圧力計が使用される際における使用圧力範囲３６の最大値が得られるように使用圧力表示部材２３の角度α１が設定され、最小値としたときに使用圧力範囲３６を残してそれ以外の使用圧力表示領域２５を遮蔽部材３１が覆うように角度α２が設定される。
【００３０】
ケース１２の表面側には透明性を有するカバー３７が着脱自在に装着されるようになっている。カバー３７はケース１２の支持壁１３に対応してほぼ正方形のカバー本体３８とこれと一体となった側壁３９とを備えており、側壁３９の開口端部にはケース１２の側壁１４に形成された凹部に係合するビード部４０が設けられている。
【００３１】
カバー３７をケース１２の表面側に装着すると、指針１９，目盛板２１，使用圧力範囲３６が覆われて、カバー３７の内側に配置される指針１９等の部材に作業者等が接触することが防止される。カバー３７を取り外すことにより、使用圧力表示部材２３と遮蔽部材３１の回動位置を変更することができる。例えば、圧力計が使用される流体圧が０．２ＭPaと０．４ＭPaの範囲の場合には、図３（Ａ）に示すように、最小値表示部２７を０．２ＭPaの位置に設定し、最大値表示部３５を０．４ＭPaの位置に設定することになる。また、圧力計が使用される流体圧が０．４ＭPaと０．５ＭPaの範囲の場合には、図３（Ｂ）に示すように、最小値表示部２７を０．４ＭPaの位置に設定し、最大値表示部３５を０．５ＭPaの位置に設定することになる。このように、使用圧力範囲３６の角度βと円周方向の位置を変更する際には、カバー３７を取り外した状態のもとで、ノブ２６，３４の位置を目盛に沿って円周方向に使用圧力表示部材２３と遮蔽部材３１とを回動させることにより容易に使用圧力範囲３６の設定を行うことができる。ただし、ノブ２６，３４を設けることなく、使用圧力表示部材２３と遮蔽部材３１とに孔を形成し、針状の部材を用いてそれぞれを回動させるようにしても良い。
【００３２】
回動操作時の使用圧力表示部材２３には、使用圧力表示部材２３を回動させる周方向の荷重に加えて、使用圧力表示部材２３を支持壁１３に押し付ける軸方向の荷重が付与され、この軸方向の荷重により、使用圧力表示部材２３は支持壁１３に当接されて当該支持壁１３により支持されることとなる。同様に、回動操作時の遮蔽部材３１には、遮蔽部材３１を回動させる周方向の荷重に加えて、遮蔽部材３１を使用圧力表示部材２３に押し付ける軸方向の荷重が付与され、この軸方向の荷重により、遮蔽部材３１は使用圧力表示部材２３に当接されて当該使用圧力表示部材２３を介して支持壁１３により支持されることとなる。このように、回動操作時つまり使用圧力範囲の設定時に使用圧力表示部材２３および遮蔽部材３１に付与される軸方向の荷重をケース１２の表面に設けられた支持壁１３により支持するようにしたので、被覆板を目盛板により支持するようにした特許文献２に示す圧力計のように目盛板の強度を向上させる必要がなく、簡易な構成により使用圧力表示部材２３および遮蔽部材３１の変形や破損を防止することができる。
【００３３】
流体圧回路に図３に示す使用圧力の範囲となって流体が供給されているかは、カバー３７を介して指針１９の位置を外部から目視することにより作業者が確認することができる。図３（Ａ）に示すように指針１９がその延長上の使用圧力範囲３６の範囲に入っていれば、流体圧回路には適正な圧力の流体が供給されていることが外部から確認できる。また、図３（Ｂ）に示すように最小値表示部２７よりも指針１９が低い圧力となっていたり、あるいは最大値表示部３５よりも指針１９が高い圧力となっていたりしたら、流体圧回路には適正な使用圧力範囲外となっていることを作業者は目視して確認できる。なお、カバー３７は指針１９等に作業者や部材が触れることを防止するために使用されており、カバー３７には目盛が付されていないので、カバー３７を装着しない状態でも圧力を測定することはできる。
【００３４】
図５〜図１２は圧力計の変形例を示す。図５〜図１２においては、図１〜図４に示した圧力計における部材と共通する部材には同一の符号が付されている。
【００３５】
図５は変形例の圧力計を示す正面図であり、図６は図５に示す圧力計の分解斜視図である。この圧力計においては、使用圧力表示部材２３と遮蔽部材３１が圧力計の正面から見て左右逆に配置されている。したがって、使用圧力表示部材２３の右側の円周方向端部に設けられたノブ２６の内側エッジは最大値表示部３５となっており、遮蔽部材３１の右側の円周方向端部に設けられたノブ３４の外側エッジは最小値表示部２７となっている。他の構造は上述した圧力計と同様である。
【００３６】
図７は他の変形例の圧力計を示す断面図であり、支持壁１３の中心部には円形状の貫通孔１３ａが形成されている。この貫通孔１３ａの半径ｒは、使用圧力表示部材２３の半径Ｒ１よりも小径となっており、使用圧力範囲３６の設定時には使用圧力表示部材２３の外周部が支持壁１３に当接されて、使用圧力表示部材２３および遮蔽部材３１が支持壁１３により支持されるようになっている。このように、支持壁１３は少なくとも使用圧力表示部材２３の外周部に対応した形状であればよい。
【００３７】
図８は図２に示す使用圧力表示部材と遮蔽部材の変形例を示す分解斜視図であり、使用圧力表示部材２３と遮蔽部材３１とのボス部２４，３２には周方向の切り欠き部が設けられている。この切り欠き部は、使用圧力表示領域２５および遮蔽領域３３と回動中心を中心としてほぼ対称な位置に鈍角状に形成されており、ボス部２４，３２の開口寸法ｄは支持駒１８の直径Ｄよりも短寸となっている。また、ボス部２４，３２は弾性変形可能な樹脂材料によりそれぞれ使用圧力表示部材２３および遮蔽部材３１に一体に形成されている。これにより、使用圧力表示部材２３および遮蔽部材３１を支持駒１８に対して径方向から押し込むことで使用圧力表示部材２３および遮蔽部材３１を支持駒１８に装着可能となっている。一方、使用圧力表示部材２３および遮蔽部材３１を支持駒１８に対して径方向に引き抜くことで使用圧力表示部材２３および遮蔽部材３１を支持駒１８から取り外し可能となっている。ゆえに、使用圧力表示部材２３および遮蔽部材３１を支持駒１８つまり回動軸１６に対して径方向から着脱自在とすることができ、圧力計の組立性が向上するとともに使用圧力表示部材２３および遮蔽部材３１の後付け（オプション化）が可能となる。なお、ボス部２４，３２を使用圧力表示部材２３および遮蔽部材３１と一体に形成せずに、ボス部２４，３２のみを弾性変形可能な樹脂材料により形成するようにしても良い。
【００３８】
図９はさらに他の変形例の圧力計における目盛板と使用圧力表示部材と遮蔽部材の背面側を示す分解斜視図であり、目盛板２１は上述した圧力計と同一となっている。これに対して、使用圧力表示部材２３はガイド孔２４ａが形成された環状のボス部２４と、使用圧力表示領域２５に対応した円弧状帯部４１と、この円弧状帯部４１とボス部２４との間に径方向に延びてこれらを連結する連結用帯部４２とを有している。なお、連結用帯部４２はノブ２６が設けられた一方の端部で円弧状帯部４１に一体となっているが、円弧状帯部４１の他方の端部に連結用帯部４２を一体に設けるようにしても良い。
【００３９】
遮蔽部材３１はガイド孔３２ａが形成されたボス部３２と、遮蔽領域３３に対応した円弧状帯部４３と、この円弧状帯部４３とボス部３２との間に径方向に延びてこれらを連結する連結用帯部４４とを有している。なお、連結用帯部４４はノブ３４が設けられた一方の端部で円弧状帯部４３に一体となっているが、円弧状帯部４３の他方の端部に連結用帯部４４を一体に設けるようにしても良い。使用圧力表示部材２３と遮蔽部材３１の円弧状帯部４１，４３の幅寸法Ｗ１とＷ２はともに使用圧力表示領域２５の径方向寸法よりも大きく設定されている。したがって、それぞれの径方向内側の部分は目盛板２１の背面側に重なるようになっている。
【００４０】
図１０は図９に示す使用圧力表示部材と遮蔽部材の変形例を示す分解斜視図であり、図８と同様に、使用圧力表示部材２３と遮蔽部材３１のボス部２４，３２に周方向の切り欠き部が設けられている。このように、使用圧力表示部材２３および遮蔽部材３１を支持駒１８に対して回動自在に装着するようにした圧力計においては、ボス部２４，３２に周方向の切り欠き部を設けることで、支持駒１８に対して径方向から着脱自在となり、図８に示す使用圧力表示部材２３および遮蔽部材３１と同様の効果を奏することができる。
【００４１】
このように、図９および図１０に示す使用圧力表示部材２３は、上述した扇形の使用圧力表示部材２３の一部を切り欠いた形状となっており、図９および図１０に示す使用圧力表示部材２３の表面側は、例えば、赤または青などの色彩に塗色され、遮蔽部材３１と目盛板２１の地の色は白色に塗色されている。
【００４２】
図１１はさらに他の変形例の圧力計を示す断面図であり、図１２は図１１に示した目盛板と使用圧力表示部材と遮蔽部材の背面側を示す分解斜視図である。この圧力計の目盛板２１の背面には環状のガイド溝４５が形成されている。使用圧力表示部材２３と遮蔽部材３１はともに円弧状の帯状となっており、図９に示した円弧状帯部４１のみにより使用圧力表示部材２３が形成され、図９に示した円弧状帯部４３のみにより遮蔽部材３１が形成されている。使用圧力表示部材２３と遮蔽部材３１のそれぞれの幅寸法Ｗ１とＷ２は、ともに使用圧力表示領域２５の径方向寸法よりも大きく設定されている。したがって、それぞれの径方向内側の部分は目盛板２１の背面側に重なるようになっている。
【００４３】
目盛板２１と使用圧力表示部材２３との間に配置される遮蔽部材３１の表面にはガイド溝４５に係合してこれに沿って摺動する係合突起４６が設けられており、使用圧力表示部材２３の表面にはガイド溝４５に係合してこれに案内されて摺動する係合突起４７が設けられている。これにより、使用圧力表示部材２３と遮蔽部材３１は目盛板２１の背面に回動自在に装着されており、それぞれは回動軸１６の回動中心を中心として回動する。上述した圧力計と同様に、使用圧力表示部材２３の一端部には操作用のノブ２６が設けられ、遮蔽部材３１の一端部には操作用のノブ３４が設けられている。遮蔽部材３１の表面に設けられた係合突起４６は遮蔽部材３１の円周方向全体に設けられているのに対し、使用圧力表示部材２３の表面に設けられた係合突起４７はノブ２６の径方向内方から円周方向に延びて部分的に設けられており、使用圧力表示部材２３と遮蔽部材３１とを円周方向に移動させる際に、係合突起４６，４７が相互に干渉しないようになっている。ただし、目盛板２１の背面に２つのガイド溝を形成し、一方のガイド溝に係合突起４６を係合させ、他方のガイド溝に係合突起４７を係合させるようにすれば、両方の係合突起４６，４７を使用圧力表示部材２３と遮蔽部材３１の円周方向全長に形成しても係合突起４６，４７が干渉しないようにすることができる。
【００４４】
図１１および図１２に示す使用圧力表示部材２３の表面側は、上述した場合と同様に、例えば、赤または青などの色彩に塗色され、遮蔽部材３１と目盛板２１の地の色は白色に塗色されている。
【００４５】
図１〜図１０に示す圧力計の使用圧力表示部材２３と遮蔽部材３１はともに回動軸１６に支持駒１８を介して回動自在に装着され、図１１，図１２に示す圧力計の使用圧力表示部材２３と遮蔽部材３１はともに目盛板２１の背面に回動自在に装着されているが、使用圧力表示部材２３と遮蔽部材３１の一方を回動軸１６に支持駒１８を介して回動自在に装着し、他方を目盛板２１の背面に回動自在に装着するようにしても良い。
【００４６】
本発明は前記実施の形態に限定されるものではなく、その要旨を逸脱しない範囲で種々変更可能である。例えば、圧力測定器１１はブルドン管式であるが、圧力に応じて回動軸１６を回動させるタイプであれば、他のタイプの圧力測定器をケース１２内に組み込むようにしても良い。また、使用圧力表示部材２３と遮蔽部材３１は一対設けられているが、複数対設けるようにしても良い。ケース１２は四角形となっているが円形としても良い。
【図面の簡単な説明】
【００４７】
【図１】本発明の一実施の形態である圧力計を示す斜視図である。
【図２】本発明の圧力計を示す分解斜視図である。
【図３】(Ａ)は図１における正面図であり、(Ｂ)は(Ａ)の状態から使用圧力範囲を変更した状態の正面図である。
【図４】図３(Ｂ)における矢印４−４線方向の拡大断面図である。
【図５】変形例の圧力計を示す正面図である。
【図６】図５に示した圧力計の分解斜視図である。
【図７】他の変形例の圧力計を示す断面図である。
【図８】図２に示す使用圧力表示部材と遮蔽部材の変形例を示す分解斜視図である。
【図９】さらに他の変形例の圧力計における目盛板と使用圧力表示部材と遮蔽部材の背面側を示す分解斜視図である。
【図１０】図９に示す使用圧力表示部材と遮蔽部材の変形例を示す分解斜視図である。
【図１１】さらに他の変形例の圧力計を示す断面図である。
【図１２】図１１に示した目盛板と使用圧力表示部材と遮蔽部材の背面側を示す分解斜視図である。
【符号の説明】
【００４８】
１１      圧力測定器
１２      ケース
１３      支持壁
１６      回動軸
１８      支持駒
１９      指針
２１      目盛板
２２      取付孔
２３      使用圧力表示部材
２４      ボス部
２５      使用圧力表示領域
２６      ノブ
２７      最小値表示部
３１      遮蔽部材
３２      ボス部
３３      遮蔽領域
３４      ノブ
３５      最大値表示部
３６      使用圧力範囲
３７      カバー
４１      円弧状帯部
４２      連結用帯部
４３      円弧状帯部
４４      連結用帯部
４５      ガイド溝
４６，４７    係合突起
【図１】
0004960315.tif 000002
【図２】
0004960315.tif 000003
【図３】
0004960315.tif 000004
【図４】
0004960315.tif 000005
【図５】
0004960315.tif 000006
【図６】
0004960315.tif 000007
【図７】
0004960315.tif 000008
【図８】
0004960315.tif 000009
【図９】
0004960315.tif 000010
【図１０】
0004960315.tif 000011
【図１１】
0004960315.tif 000012
【図１２】
0004960315.tif 000013